(57)【要約】      （修正有）【課題】ヒンジの機械的強度が高いキャップを提案する。【解決手段】注出口を有し容器１の口部１ａに装着されるキャップ本体２と、その注出口２ａを閉塞する蓋体３と、キャップ本体及び蓋体を相互につなぎ蓋体をキャップ本体において揺動可能に支持するヒンジ４とを備えたキャップにおいて、ヒンジは、揺動始点を形成する折り込みラインを有しそのラインを境にして後端及び先端をキャップ本体、蓋体のそれぞれに接続する薄肉片４ａと、この薄肉片の各幅端、キャップ本体、蓋体のそれぞれ合計３箇所につながり薄肉片の幅方向に沿い外側に向けて拡大する末広がりの一対の連結片４ｂ、４ｃからなり、連結片は、薄肉片のラインに接続し外側に向けて徐々に広幅になるサイドラインと、薄肉片から離れるにしたがって湾曲度合いが大きくなる湾曲面を有し、かつ漸次肉厚が増加する肉厚分布を有する。【選択図】図１
2006089068.tif 000002
【特許請求の範囲】
【請求項１】
容器内の内容物を注出する注出口を有し容器の口部に装着されるキャップ本体と、このキャップ本体に合わさりその注出口を閉塞する蓋体と、キャップ本体及び蓋体を相互につなぎ該蓋体をキャップ本体において揺動可能に支持するヒンジとを備えたキャップであって、
前記ヒンジは、揺動始点を形成する折り込みラインを有しそのラインを境にして後端および先端をキャップ本体、蓋体のそれぞれに接続する薄肉片と、この薄肉片の各幅端、キャップ本体、蓋体のそれぞれ合計３箇所につながり該薄肉片の幅方向に沿い外側に向けて拡大する末広がりの一対の連結片からなり、
前記連結片は、薄肉片のラインに接続し外側に向けて徐々に広幅になるサイドラインと、薄肉片から離れるにしたがって湾曲度合いが大きくなる湾曲面を有し、かつ、漸次肉厚が増加する肉厚分布を有することを特徴とするヒンジキャップ。
【請求項２】
前記ヒンジに間隔をおいて覆いかぶさり前記キャップ本体と蓋体とを相互につなぐ弾性片を有する請求項１記載のヒンジキャップ。
【請求項３】
前記弾性片が断面Ｕ字・Ｖ字・波形状の何れかの形状である請求項２記載のヒンジキャップ。
【発明の詳細な説明】
【技術分野】
【０００１】
本発明は合成樹脂製のヒンジキャップに関するものであり、キャップ本体と蓋体とをつなぐヒンジの伸びや破断等の損傷を確実に防止しようとするものである。
【背景技術】
【０００２】
シャンプーやリンス、液体洗剤あるいは消毒液等を内容物として充填する容器には、片手による操作で蓋を開閉して容器内の内容物が取り出せるように合成樹脂製のヒンジキャップが使用されている。
【０００３】
かかるヒンジキャップは、容器内の内容物を注出する注出口を有し容器の口部に装着されるキャップ本体と、このキャップ本体に合わさり注出口を密閉する蓋体とを折り込みラインを有する薄肉片を介して連結した構造になっていて、蓋体をキャップ本体に合致させる閉栓時には、薄肉片はラインを境にして２つ折りになっており、該ラインを揺動始点にして蓋体を引き上げない限り内容物を注出することができないようになっている（例えは特許文献１参照）。
【０００４】
【特許文献１】実公平７−２４４４号公報
【０００５】
ところで、この種のキャップに設けられているヒンジは、肉厚とした場合ヒンジ部の折れ現象から亀裂が発生しヒンジ部の破断に至ることがあるとの理由から、有効なヒンジ効果を得るためヒンジ部を一定以下の薄肉としているが、逆にこれがため機械的強度が劣る結果となり、蓋体の開閉頻度が増えるにしたがい変形、疲労等によって強度が低下しやすいうえ、蓋体の開閉時に横方向からの不用意な力が加えられた場合に折り込みラインから破断してしまうこともあってキャップとしての機能を阻害してしまう不具合があった。
【発明の開示】
【発明が解決しようとする課題】
【０００６】
本発明の課題は、ヒンジにおける破損を回避して長期にわたってその機能を維持できる新規なヒンジキャップを提案するところにある。
【課題を解決するための手段】
【０００７】
本発明は、容器内の内容物を注出する注出口を有し容器の口部に装着されるキャップ本体と、このキャップ本体に合わさりその注出口を閉塞する蓋体と、キャップ本体及び蓋体を相互につなぎ該蓋体をキャップ本体において揺動可能に支持するヒンジとを備えたキャップであって、
前記ヒンジは、揺動始点を形成する折り込みラインを有しそのラインを境にして後端および先端をキャップ本体、蓋体のそれぞれに接続する薄肉片と、この薄肉片の各幅端、キャップ本体、蓋体のそれぞれ合計３箇所につながり該薄肉片の幅方向に沿い外側に向けて拡大する末広がりの一対の連結片からなり、
前記連結片は、薄肉片のラインに接続し外側に向けて徐々に広幅になるサイドラインと、薄肉片から離れるにしたがって湾曲度合いが大きくなる湾曲面を有し、かつ、漸次肉厚が増加する肉厚分布を有することを特徴とするヒンジキャップである。
【０００８】
上記の構成になるヒンジキャップにおいては、該ヒンジに間隔をおいて覆いかぶさり前記キャップ本体と蓋体とを相互につなぐ弾性片を設けることができ、該弾性片は断面Ｕ字・Ｖ字・波形状の何れかの形状から選択されるのが好ましい。
【発明の効果】
【０００９】
キャップ本体と蓋体とをつなぐヒンジは、薄肉片と、端部にいくにしたがい肉厚になる機械的強度が高い連結片からなっており、連結片は薄肉片を保護するように機能するためヒンジは長期にわたってその機能を維持することになる。
【００１０】
とくに、末広がりの平面形状を有する連結片は薄肉片から離れるに従って湾曲度合いが大きくなる湾曲面を有しており、蓋体が開閉動作により揺動するとき該連結片はスムーズに湾曲変形（撓む）することになる。
【発明を実施するための最良の形態】
【００１１】
以下、図面を用いて本発明をより具体的に説明する。
図における１は内容物を充填する容器、２は容器１の口部１ａにねじあるいはアンダーカットによって装着されるキャップ本体である。なお、図においてはねじあるいはアンダーカットの詳細な機構は省略している。このキャップ本体２は容器１内の内容物を注出する注出口２ａを有する。
【００１２】
また、３はキャップ本体２の天面で合わさる蓋体であって、この蓋体３の裏面には蓋体３がキャップ本体２の天面で合わさったときに注出口２ａに嵌入、閉塞状態に維持する突起３ａと、蓋体３を引き上げる際に指を引っ掛ける引っ掛け突起３ｂが設けられている。
【００１３】
また、４はキャップ本体２及び蓋体３を相互につなぎ蓋体３をキャップ本体２において揺動可能に支持するヒンジ、５はヒンジ４に間隔をおいて覆いかぶさりキャップ本体２と蓋体３とを相互につなぐ断面Ｕ字状をなす弾性片である。
【００１４】
ヒンジ４はその要部の外観を拡大して図２に示すように揺動始点を成形する折り込みラインＬを有しそのラインＬを境にして後端および先端をキャップ本体２、蓋体３のそれぞれに接続する薄肉片４ａと、この薄肉片４ａの各幅端、キャップ本体２、蓋体３のそれぞれ合計３箇所につながり該薄肉片４ａの幅方向に沿い外側に向けて拡大する末広がりの一対の連結片４ｂ、４ｃからなっている。
【００１５】
連結片４ｂ、４ｃは、薄肉片４ａのラインＬに接続し外側に向けて徐々に幅広になるサイドラインＬ′（ラインＬと同様の機能を備える）と、薄肉片４ａから離れるにしたがって湾曲度合いが大きくなる湾曲面を有し、かつ、図３にその断面を示す如く肉厚が徐々に増加する肉厚分布を有している。
【００１６】
ヒンジキャップは、厚肉にすると折れ現象により亀裂が入って破断しやすいことからその防止のためには厚さを一定以下の薄肉にする必要があるが、ヒンジの薄肉化はその変形や疲労等により早期のうちに破断してしまう不利がある。
【００１７】
本発明に従うヒンジキャップは、ヒンジ４を構成する薄肉片４ａの両側に機械的強度の高い連結片４ｂ、４ｃが存在しており、この連結片４ｂ、４ｃによって薄肉片４ａが保護されているので、変形や疲労等によって破断を起こすことがない。
【００１８】
連結片４ｂ、４ｃについては薄肉片４ａの幅方向外側に向けて拡大する末広がりの平面形状とし薄肉片４ａから離れるに従って湾曲度合いを大きくした湾曲を設けるとともに肉厚を端部に向けて漸次増加する肉厚分布を有するものとしており、蓋体３を揺動させるとき該連結片４ｂ、４ｃはサイドラインＬ′を基点にして湾曲変形（撓む）するので、薄肉片４ａの揺動を阻害するようなことはなく蓋体３はスムーズに開閉される。
【００１９】
蓋体３の開閉に際して該蓋体３に弾性力を付与する弾性片５は、ヒンジ４に間隔をおいて覆い被さるように配置（上下２段構造）することができるもので、これによりヒンジ４は与えられたスペースにおいて最大幅を確保でき、該ヒンジ４の強度をより一層高めることが可能となる。また、弾性片５は前掲のＵ字状に限るものではなく、例えば、Ｖ字状、波形状のものなどの形状を適宜選択できる。
【産業上の利用可能性】
【００２０】
蓋体の開閉に伴う変形や疲労劣化が少ない機械的強度の高いヒンジキャップが提供できる。
【図面の簡単な説明】
【００２１】
【図１】本発明にしたがうヒンジキャップの実施の形態を示した図である。
【図２】図１に示したヒンジキャップの要部の外観斜視図である。
【図３】図１に示したヒンジキャップのＸ−Ｘ断面を示した図である。
【符号の説明】
【００２２】
１  容器
１ａ  口部
２  キャップ本体
２ａ  注出口
３  蓋体
３ａ  突起
３ｂ  引っ掛け突起
４  ヒンジ
４ａ  薄肉片
４ｂ  連結片
４ｃ  連結片
５  弾性片
【図１】
2006089068.tif 000003
【図２】
2006089068.tif 000004
【図３】
2006089068.tif 000005